(57)【特許請求の範囲】
【請求項１】
ケーシング下底面開口部から粘着テープが排出される粘着テープ貼着装置において、左右一対の外ケース側壁板の直線状下端縁部が、前記ケーシング下底面より若干間隔突出して延設されてなることを特徴とする粘着テープ貼着装置。
【請求項２】
ケーシング下底面開口部から粘着テープが排出される粘着テープ貼着装置において、左右一対の外ケース側壁板の直線状下端縁部が、前記ケーシング下底面より０．１〜１．０ｍｍ、突出して延設されてなることを特徴とする粘着テープ貼着装置。
【発明の詳細な説明】
【０００１】
【発明の属する技術分野】
本発明は、粘着テープの貼着手段に係わり、ケース内にロール状の粘着テープを装着し、ケース底部を被接着物に押圧して粘着テープを貼着したのち、切断操作が可能な粘着テープ貼着装置に関する。
【０００２】
【従来の技術】
本願出願人は、先に特許番号第２６１１１３２号公報「粘着テープ貼着器」により、粘着テープの貼着及び切断操作が可能な粘着テープ貼着器を発明提案している。同特許発明の要旨は、水平底板の前部寄りにテープ出口を設けた外ケースに一側開放の内ケースの下部中央を水平の軸で外ケースに該軸を支点として前後揺動自在に装着すると共に、該内ケースの外周壁上部を該外ケースの上部の開口より露出させて、この部分に凹凸や突片及び突部からなる指先係合部を設け、該内ケースの側壁内には、粘着面を内側にしてロール状に巻いた粘着テープを回転自在に装着し、内ケースの下部は周壁のない開口とし、この開口の前端には該粘着テープを支持して、前記水平底板の開口に臨んでいる被接着物に押しつける押圧ローラを設け、上記内ケースの側壁と外ケースの間に介在させた揺動板の上端を外ケースに枢止し、この揺動板の下端の横向きの支持片の上部に粘着テープの切断用刃物を設け、同揺動板と前記内ケースを、該内ケースが前方に傾いたとき前記刃物が該押圧ローラーの前方に退避し、該内ケースが後方に傾いたとき、該刃物が上昇した押圧ローラの下方に移動するように連動させたことを特徴とする粘着テープ貼着器である。
【０００３】
前記特許発明では、水平底板を有する外ケース内に内ケースを前後揺動自在に装着すると共に、前記内ケースに連動して回転する揺動板を外ケースと内ケースの間に装着し、内ケースにロール状に巻いた粘着テープの先端を内ケースのガイドローラの上側を経て内ケース下部前端の押圧ローラの下部に接触させ、前記揺動板下部にテープ切断用刃物を設けている。
指先係合部を指先により前方に押すと、内ケースが下端を支点として前方に傾き、前記内ケースの前部下端の押圧ローラが粘着テープを被接着物に押しつける。このとき揺動板は前方に回転して、その下端の刃物を前方に退避させている。この状態で、外ケースを下方へ押圧しながら後方に引くと、粘着テープが内ケース内から繰り出されながら被接着物に接着されていく。
上記の操作で粘着テープが被接着物に貼着されていき、所定の長さに粘着テープが接着されたとき、内ケース上部の指先係合部を後方に引くと、押圧ローラが上方に移動すると共に、揺動板が後方に回り、下端の刃物を押圧ローラの下方に移動して、押圧ローラの下部の粘着テープに切り込んで切断する。
【０００４】
【発明が解決しようとする課題】
上記の従来品は粘着テープの貼着と切断を連続して行えるので極めて便利なものであるが、外ケース底面部面が前部から後部まで水平面であるため、貼着操作のため貼着器を一直線に移動することが不安定で、また、押圧ローラ外周面下部が外ケース底面部面と一致しているため、被接着物面の少々の凹凸、貼着器の組み立て精度、押圧ローラの摩耗等により、確実な貼着操作が行えない恐れがあった。
以上説明した現状に鑑み、貼着器を一直線に移動することが容易で、かつ確実な貼着操作が行えるように改良した粘着テープ貼着装置を提供する。
【０００５】
【課題を解決するための手段】
本発明者は、上記に鑑み鋭意研究の結果、次の手段によりこの課題を解決した。
（１）ケーシング下底面開口部から粘着テープが排出される粘着テープ貼着装置において、左右一対の外ケース側壁板の直線状下端縁部が、前記ケーシング下底面より若干間隔突出して延設されてなることを特徴とする粘着テープ貼着装置。
（２）ケーシング下底面開口部から粘着テープが排出される粘着テープ貼着装置において、左右一対の外ケース側壁板の直線状下端縁部が、前記ケーシング下底面より０．１〜１．０ｍｍ、突出して延設されてなることを特徴とする粘着テープ貼着装置。
【０００６】
（３）テープ出口開口部を底面部に有する外ケースとその左右一対の側壁板と、前記外ケース下部に固着された内ケース回転軸を中心として前後揺動自在に装着され、かつロール状粘着テープを装着可能なテープ取付軸を有する内ケースとその内ケース側壁と、該内ケース側壁の前方下部先端に直角に取り付けられた押圧ローラと、同様に粘着テープの粘着面側であって内ケース側壁に直角に取り付けられロール状粘着テープから送り出された粘着テープを押圧ローラへガイドするためのガイドローラとを備え、
前記外ケースの底面部面が、前記側壁板の下端面（直線状下端縁部の端面）との間に若干の間隔を有してなることを特徴とする粘着テープ貼着装置。
【０００７】
（４）前記外ケースのテープ出口開口部の後方の底面部面の一部が、前記外ケースの側壁板の下端面（直線状下端縁部の端面）と同一水平面であることを特徴とする前記（３）に記載の粘着テープ貼着装置。
【０００８】
（５）前記押圧ローラが、内ケースの前方への揺動操作により、前記テープ出口開口部を通過し、前記側壁板の下端面（直線状下端縁部の端面）より突出してなることを特徴とする前記（３）又は（４）に記載の粘着テープ貼着装置。
【０００９】
（６）前記内ケースが、その前方上部に指先係合部を有してなることを特徴とする前記（３）〜（５）のいずれか１項に記載の粘着テープ貼着装置。
（７）前記外ケースと内ケースが、外ケース内部の底面部面に配設されたストッパと、内ケース側壁の後部上方に配設されたストッパとの間に板状又はコイル状のばねで係合されてなることを特徴とする前記（３）〜（６）のいずれか１項に記載の粘着テープ貼着装置。
【００１０】
（８）前記外ケースの側壁板中央部に直角に固着され、かつ内ケースの楕円状に開口されたカム穴を貫通した棒状のテープ芯筒押さえを備え、
該テープ芯筒押さえが、前記ばねの応力による内ケースの後方への揺動操作により粘着テープ芯筒内面を押圧してなることを特徴とする前記（３）〜（７）のいずれか１項に記載の粘着テープ貼着装置。
【００１１】
（９）前記外ケースの側壁板と、前記内ケース側壁の間に揺動板を備え、該揺動板をその上部であって内ケース側壁に固着された揺動板軸に枢止し、また前記内ケース側壁の上部であって前記揺動板軸の後方に固着されたピンを揺動板に配設されたカム穴に係合し、かつ揺動板の下端で横向きの支持片に粘着テープの切断用刃物を設け、前記指先係合部の前後揺動操作により内ケースが前方に傾いたとき切断用刃物が前記押圧ローラの前方に退避し、内ケースが後方に傾いたとき切断用刃物が上昇した押圧ローラの下方に移動するように、揺動板と内ケース側壁とを連動させたことを特徴とする前記（３）〜（８）のいずれか１項に記載の粘着テープ貼着装置。
【００１２】
（１０）前記外ケースが、その一側は開放とし着脱自在な他方の側壁板を有してなることを特徴とする前記（３）〜（９）のいずれか１項に記載の粘着テープ貼着装置。
【００１３】
【発明の実施の形態】
本発明では、ケーシング下底面開口部から粘着テープが排出される粘着テープ貼着装置において、左右一対の外ケース側板の直線状下端縁部が、前記ケーシング下底面より若干距離（例えば、０．１〜２．０ｍｍ、好ましくは０．３〜０．８ｍｍ）突出して延設されてなるため、左右一対の側壁板の直線状の下端縁部の縁部面がレール状のガイドとなり、被接着物の表面に、該粘着テープ貼着装置を横ズレすることなく容易に一直線に移動させて、粘着テープを容易に直線状に貼着させることが可能となる。
また、本発明では、テープ出口開口部を底面部に有する外ケースとその左右一対の側壁板と、前記外ケース下部に固着された内ケース回転軸を中心として前後揺動自在に装着され、かつロール状粘着テープを装着可能なテープ取付軸を有する内ケース側壁と、該内ケース側壁の前方底部先端に直角に取り付けられた押圧ローラと、同様に粘着テープの粘着面側であって内ケース側壁に直角に取り付けられ粘着テープから送り出された粘着テープを押圧ローラへガイドするためのガイドローラとを備え、前記外ケースの底面部面が、前記左右一対の側壁板の直線状の下端面との間に若干の間隔を有しているので、左右一対の側壁板の下端面の両面がレール状のガイドとなり、被接着物の表面に多少の凹凸があっても粘着テープ貼着装置を横ズレすることなく容易に一直線に移動させて貼着操作が可能となる。
また、前記外ケースのテープ出口開口部の後方の底面部面の一部を、前記外ケースの側壁板の下端面と同一水平面とし、該水平面で被接着物表面を押さえながら、さらに前記押圧ローラが、内ケースの前方への揺動操作により、前記テープ出口開口部を通過し、前記側壁板の下端面より突出していて、粘着テープを押圧ローラによって被接着物を押圧しながら貼着操作が可能となるようにしてもよい。
【００１４】
そしてまた、前記内ケースが、その前方上部に指先係合部を有し、該指先係合部により内ケースを前後揺動自在にでき、かつ外ケース内部の底面部面に配設されたストッパと、内ケース側壁の後部上方に配設されたストッパとの間に板状又はコイル状のばねを有して貼着操作終了時に内ケースを自動的に復帰するように作動することも好ましい。
さらに、前記外ケースの側壁板中央部に直角に固着され、内ケースの楕円状に開口されたカム穴を貫通した棒状のテープ芯筒押さえを備え、該テープ芯筒押さえが、前記板状又はコイル状のばねの応力により粘着テープ芯筒内面を押圧して、本装置の非使用時に粘着テープが不用意に回転しないようにしてもよい。
さらにまた、前記外ケースの側壁板と、前記内ケース側壁の間に揺動板を有し、該揺動板をその上部であって内ケース側壁に固着された揺動板軸に枢止し、また、前記内ケース側壁の上部であって前記揺動板軸の後方に固着されたピンを揺動板に配設されたカム穴に係合し、かつ揺動板の下端で横向きの支持片に粘着テープの切断用刃物を設け、前記指先係合部の前後揺動操作により内ケース側壁が前方に傾いたとき切断用刃物が前記押圧ローラの前方に退避し、内ケースが後方に傾いたとき切断用刃物が上昇した押圧ローラの下方に移動するように揺動板と内ケース側壁を連動させ、粘着テープを切断できるようにしてもよい。
【００１５】
【実施例】
以下、本発明実施例を図に基づいて説明する。
図１は、本発明実施例の内ケースを前方へ傾けた、貼着操作直前の粘着テープ貼着装置の正面断面図であり、図２は、同実施例の貼着操作を開始した時の粘着テープ貼着装置の正面断面図、図３は、同実施例の内ケースを後方へ板ばねの応力で若干戻し、切断刃物で粘着テープを切断開始する直前の粘着テープ貼着装置の正面断面図、図４は、同実施例の内ケースを後方へ板ばねの応力で完全に戻し、切断刃物が押圧ローラの下部に移動した粘着テープ貼着装置の正面断面図、図５は、同実施例の粘着テープ貼着装置底面図、図６は、同実施例の粘着テープ貼着装置の使用例の説明図である。
そして、図７は、同実施例の粘着テープ貼着装置の一部分解斜視図であり、図８は、図５のＡ−Ａ矢視一部断面図を示す。
図において、１は外ケース、２はテーパ付底板、２ａは外ケースの底面部面、３はテープ出口開口部、４、４’は側壁板、４ａ、４’ａ：左右一対の側壁板の直線状下端縁部の下端面、５は内ケース、６は内ケース回転軸、７は左右一対の側壁板４、４’の直線状下端縁部の下端面４ａ、４’ａと外ケースの底面部面２ａ、２８ａとの間に設けられた若干の間隔、８は上部開口部、９は指先係合部、１０は突片、１１はテープ芯筒押さえ、１２は内ケース側壁、１３はテープ取付軸、１４はストッパ、１５は粘着テープ、１６はテープ芯筒、１７は押圧ローラ、１８は被接着物、１９はガイドローラ、２０は揺動板、２１は揺動板軸、２２はカム穴、２３はピン、２４は支持片、２５は切断用刃物、２６はカム穴、２７は人の手、２８は前部底板、２８ａは外ケースの底面部面、２９は板ばね、３０はストッパ、ａは先端部、である。
【００１６】
図１〜５において、外ケース１はその一側が開放された側壁板４（４’）があり、その底面部面にテープ出口開口部３と、上方には開口部８が設けられている。
内ケース５とその一側が開放された内ケース側壁１２とが、外ケース１の後方下部に固着された内ケース回転軸６を中心として前後揺動自在に装着されている。
前記内ケース５は、その内ケース側壁１２の前方上部に指先係合部９とその先端に突片１０と、内ケース側壁１２の略中央部にロール状の粘着テープ１５が装着可能なテープ取付軸１３と、内ケース側壁１２の前方底部先端に直角に取り付けられた押圧ローラ１７と、同様に押圧ローラ１７の後方で粘着テープ１５の粘着面側であって内ケース側壁１２に直角に取り付けられ、また、ロール状の粘着テープ１５から送り出された粘着テープ１５を押圧ローラ１７へガイドするためのガイドローラ１９が設けられている。
前記内ケース５は、指先係合部９により前後揺動自在にでき、かつ外ケース１内部の底面部面に配設されたストッパ３０と、内ケース側壁１２の後部上方に配設されたストッパ１４との間に板ばね２９を有して貼着操作終了時に内ケース５を自動的に後方へ復帰するように作動する。
【００１７】
内ケース５が自動的に後方へ復帰すると、前記外ケース１の側壁板４（４’）中央部に直角に固着され、かつ内ケース５の楕円状に開口されたカム穴２６を貫通した棒状のテープ芯筒押さえ１１が、前記板ばね２９の応力による内ケース５の後方への揺動操作により粘着テープ芯筒１６の内面を押圧する。
さらに、前記外ケース１の側壁板４（４’）と、前記内ケース側壁１２の間に揺動板２０を有し、該揺動板２０をその上部であって内ケース側壁１２に固着された揺動板軸２１に枢止し、また、前記内ケース側壁１２の上部であって前記揺動板軸２１の後方に固着されたピン２３を揺動板２０に配設されたカム穴２２に係合し、かつ揺動板２０の下端で横向きの支持片２４に粘着テープ１５の切断用刃物２５を設け、前記指先係合部９の前後揺動操作により内ケース５が前方に傾いたとき切断用刃物２５が前記押圧ローラ１７の前方に退避し、内ケース５が後方に傾いたとき切断用刃物２５が上昇した押圧ローラ１７の下方に移動するように揺動板２０と内ケース側壁１２を連動させている。
【００１８】
図１において、ロール状の粘着テープ１５をテープ取付軸１３に装着し粘着テープ先端部ａを引き出す。指先係合部９の先端の突片１０を押圧して、粘着テープ先端部ａをガイドローラ１９の上部を通過させてから押圧ローラ１７の外周下部に引き出す。
貼着操作を開始するため、外ケース１の後部下側角を被接着物１８に接触させてから外ケース１の側壁板４（４’）前部下端面を被接着物１８に押圧する。
【００１９】
図２において、前記指先係合部９及び突片１０を押圧しながら外ケース１を後方へ移動すれば、粘着テープ１５は押圧ローラ１７に押圧されながら被接着物１８に確実に貼着される。
また、外ケース１のテーパ付底板２の前部は側壁板４（４’）の下端面と水平面にあるため、被接着物１８の面をあらかじめ押さえているので、より確実に貼着操作を行える。
【００２０】
図３において、所定長の粘着テープ１５の貼着を終了したら、突片１０の押圧をゆるめることにより、板ばね２９の応力で内ケース５が後方へ傾くと、内ケース５に連動して回転する揺動板２０の先端部に取り付けられた支持片２４と切断用刃物２５が上昇した押圧ローラ１７の下方に移動し、粘着テープ１５を切断開始する。
【００２１】
図４において、粘着テープ１５の切断が終了し外ケース１の前部を持ち上げると、支持片２４と切断用刃物２５は押圧ローラの下方に移動し、粘着テープ１５はガイドローラ１９に粘着した状態で押圧ローラ１７の外周面下部に粘着テープ先端部ａを残して再度の貼着操作に備えることができる。
同時に、テープ芯筒押さえ１１が、前記板ばね２９の応力による内ケース５の後方への揺動操作により粘着テープ芯筒１６の内面を押圧し、ロール状の粘着テープ１５の振動等による空転が防止される。
【００２２】
図５において、支持片２４に固定された切断用刃物２５は、図５のように刃先は傾斜しているので、粘着テープ１５の端から無理なく切断が可能となる。
図６において、内ケース５の前方上部に指先係合部９と前端で上方に反るように形成された突片１０は、人の手２７にフイットするようになっている。なお、人の手２７を乗せる面は滑らないように凹凸を付けてもよい。
図７において、外ケース１の一側は開放とし、側壁板４’は図示しない係合手段により着脱を自在に行うことができる。
図８において、７は若干間隔であり、左右一対の側壁板４、４’の直線状下端縁部の下端面４ａ、４’ａと外ケースの底面部面２ａ（２８ａ）との間に設けられたものである。この若干間隔７の介在により、左右一対の側壁板４，４’の直線状の下端縁部の縁部面４ａ、４’ａがレール状のガイドとなり、被接着物１８の表面に、該粘着テープ貼着装置を横ズレすることなく容易に一直線に移動させて、粘着テープ１５を容易に直線状に貼着させることが可能となる。なお、（ａ）図は側壁板４、４’の下端面４ａ、４’ａが、平面であり、安定性の良いもの、（ｂ）図は下端面４ａ、４’ａが大幅に面取りされて下端面４ａ、４’ａが細くなっており、レール状のガイドとして横滑りが生じにくいものである。
【００２３】
【発明の効果】
本発明によれば、次のような効果が発揮される。
本願の発明によれば、左右一対の側壁板の直線状の下端縁部の縁部面がレール状のガイドとなり、被接着物の表面に、該粘着テープ貼着装置を横ズレすることなく容易に一直線に移動させて、粘着テープを容易に直線状に貼着させることが可能となる。
【図面の簡単な説明】
【図１】本発明実施例の内ケースを前方へ傾け、貼着操作直前の粘着テープ貼着装置正面断面図
【図２】同実施例の貼着操作を開始した時の粘着テープ貼着装置正面断面図
【図３】同実施例の内ケースを後方へ板ばねの応力で若干戻し、切断刃物で粘着テープを切断開始する直前の粘着テープ貼着装置正面断面図
【図４】同実施例の内ケースを後方へ板ばねの応力で完全に戻し、切断刃物が押圧ローラの下部に移動した粘着テープ貼着装置正面断面図
【図５】同実施例の粘着テープ貼着装置底面図
【図６】同実施例の粘着テープ貼着装置の使用例説明図
【図７】同実施例の粘着テープ貼着装置の一部分解斜視図
【図８】図５のＡ−Ａ矢視一部断面図
【符号の説明】
１：外ケース                    ２：テーパ付底板
２ａ、２８ａ：外ケースの底面部面
３：テープ出口開口部            ４、４’：側壁板
４ａ、４’ａ：左右一対の側壁板の直線状下端縁部の下端面
５：内ケース                    ６：内ケース回転軸
７：若干の間隔                  ８：上部開口部
９：指先係合部                  １０：突片
１１：テープ芯筒押さえ          １２：内ケース側壁
１３：テープ取付軸              １４：ストッパ
１５：粘着テープ                １６：テープ芯筒
１７：押圧ローラ                １８：被接着物
１９：ガイドローラ              ２０：揺動板
２１：揺動板軸                  ２２：カム穴
２３：ピン                      ２４：支持片
２５：切断用刃物                ２６：カム穴
２７：人の手                    ２８：前部底板
２９：板ばね                    ３０：ストッパ
ａ：先端部
【図１】
0003753030.tif 000002
【図２】
0003753030.tif 000003
【図３】
0003753030.tif 000004
【図４】
0003753030.tif 000005
【図５】
0003753030.tif 000006
【図６】
0003753030.tif 000007
【図７】
0003753030.tif 000008
【図８】
0003753030.tif 000009